(57)【要約】【課題】この発明は厚さを薄くしても底付き感のないマットレスを提供することにある。【解決手段】板状の弾性部材からなる中層１７及びこの中層の上面と下面とにそれぞれ設けられた上層１８と下層１９との３層構造のマットレスであって、上記中層は上記上層及び下層よりも硬質である。【選択図】　　図２
2004041513.tif 000002
【特許請求の範囲】
【請求項１】
板状の弾性部材からなる中層及びこの中層の上面と下面とにそれぞれ設けられた上層と下層との３層構造のマットレスであって、
上記中層は上記上層及び下層よりも硬質であることを特徴とするマットレス。
【請求項２】
上記中層は硬質ウレタンフォームで、上記上層及び下層は軟質ウレタンフォームであることを特徴とする請求項１記載のマットレス。
【請求項３】
上記中層は硬さが１３ｋｐａ±２０％で厚さがほぼ２０ｍｍ、上記上層及び下層は硬さが５ｋｐａ±２０％で厚さがほぼ２０ｍｍであることを特徴とする請求項１記載のマットレス。
【請求項４】
上記上層と下層とには、長手方向の中途部にそれぞれ幅方向に沿う複数の溝が長手方向に対して所定間隔で、かつ上層と下層とで長手方向に位置をずらして設けられていることを特徴とする請求項１記載のマットレス。
【請求項５】
ベッドフレームと、
このベッドフレームに固定された固定床部及びこの固定床部に回動可能に連結されて起伏駆動される背上げ床部を有する床板体と、
この床板体上に載置されるマットレスとを具備し、
上記マットレスは請求項１に記載された構成であることを特徴とするベッド装置。
【請求項６】
上記マットレスの上層と下層とには、長手方向の中途部にそれぞれ幅方向に沿う複数の溝が長手方向に沿って所定間隔で、かつ上層と下層とで長手方向に対して位置をずらして設けられていることを特徴とする請求項６記載のベッド装置。
【発明の詳細な説明】
【０００１】
【発明の属する技術分野】
この発明はウレタンフォームなどの板状の弾性部材によって形成されるマットレス及びこのマットレスが用いられるベッド装置に関する。
【０００２】
【従来の技術】
ベッド装置に用いられるマットレスには種々のタイプのものがあり、その１つとして背上げ式のベッド装置に用いられるマットレスがある。背上げ式のベッド装置に用いるマットレスは、背上げ時に起上する床板とともに容易に屈曲する性能を有することが要求される。
【０００３】
そのようなマットレスとしては、クッション体としてウレタンフォームなどの板状の弾性部材が用いられる。ウレタンフォームからなる弾性部材は、床板の起伏に応じて屈曲し易いため、背上げ式のベッド装置に好適する。
【０００４】
一方、ベッド装置において、利用者が老人などの場合にはベッド面から落下したときの安全性や立ち上がる時の負担を少なくするためなどにベッド面を低くする低床化が求められている。低床化の場合、床板の支持高さを低くするだけでなく、床板上に載置されるマットレスの厚さを薄くすることも要求される。マットレスを薄くすると、背上げ時にマットレスが屈曲するときの、マットレスの上面の屈曲半径が大きくなるから、利用者が受ける圧迫感が低減するということもある。
【０００５】
【発明が解決しようとする課題】
ところで、利用者に柔らかな感触を与えるためには、弾性部材として比較的軟質のウレタンフォームが用いられる。軟質のウレタンフォームを用いてマットレスを薄型化すると、利用者の荷重を受けたときに、身体の重い部分、たとえば臀部を支持する部分が押し潰されて底付き感が発生するということがある。
【０００６】
軟質のウレタンフォームを用いて底付き感の発生をなくすためには厚いウレタンフォームを用いなければならなくなるから、マットレスを薄型化することができなくなる。
【０００７】
一方、マットレスを薄型化するためには、比較的硬い弾性部材を用いることが考えられる。しかしながら、硬い弾性部材を用いると、クッション性能や利用者に与える感触が低下するということがあり、好ましくない。
【０００８】
この発明は、クッション性を有するとともに、底付き感の発生を招かず、しかも厚さを薄くすることができるマットレス及びそのマットレスを用いたベッド装置を提供することにある。
【０００９】
【課題を解決するための手段】
請求項１の発明は、板状の弾性部材からなる中層及びこの中層の上面と下面とにそれぞれ設けられた上層と下層との３層構造のマットレスであって、
上記中層は上記上層及び下層よりも硬質であることを特徴とするマットレスにある。
【００１０】
請求項２の発明は、上記中層は硬質ウレタンフォームで、上記上層及び下層は軟質ウレタンフォームであることを特徴とする請求項１記載のマットレスにある。
【００１１】
請求項３の発明は、上記中層は硬さが１３ｋｐａ±２０％で厚さがほぼ２０ｍｍ、上記上層及び下層は硬さが５ｋｐａ±２０％以上で厚さがほぼ２０ｍｍであることを特徴とする請求項１記載のマットレスにある。
【００１２】
請求項４の発明は、上記上層と下層とには、長手方向の中途部にそれぞれ幅方向に沿う複数の溝が長手方向に対して所定間隔で、かつ上層と下層とで長手方向に位置をずらして設けられていることを特徴とする請求項１記載のマットレスにある。
【００１３】
請求項５の発明は、ベッドフレームと、
このベッドフレームに固定された固定床部及びこの固定床部に回動可能に連結されて起伏駆動される背上げ床部を有する床板体と、
この床板体上に載置されるマットレスとを具備し、
上記マットレスは請求項１に記載された構成であることを特徴とするベッド装置にある。
【００１４】
請求項６の発明は、上記マットレスの上層と下層とには、長手方向の中途部にそれぞれ幅方向に沿う複数の溝が長手方向に沿って所定間隔で、かつ上層と下層とで長手方向に対して位置をずらして設けられていることを特徴とする請求項６記載のベッド装置にある。
【００１５】
この発明によれば、中層、上層及び下層の３層構造とするとともに、中層を上層及び下層よりも硬質な弾性部材としたことで、上層が受ける荷重は中層によって分散されて下層によって受けられるため、底付き感を与えることなく、クッション性を呈することができる。
【００１６】
【発明の実施の形態】
以下、図面を参照しながらこの発明の一実施の形態を説明する。
【００１７】
図１はこの発明の一実施の形態に係るマットレスＭが用いられる背上げ式のベッド装置１を示す。このベッド装置１はキャスタ２によって走行可能なベースフレーム３を有する。このベースフレーム３上にはベッドフレームとしての上下フレーム４が図示しない上下駆動機構によって上下動可能に設けられている。この上下フレーム４の長手方向一端にはヘッドボード５、他端にはフットボード６がそれぞれ着脱可能に立設されている。
【００１８】
上記上下フレーム４には床板体８が設けられている。この床板体８は５つの床部に分割されている。つまり、床板体８は、上記上下フレーム４の長手方向中途部に、この床板体８に固定された固定床部９を有する。この固定床部９の一側には腰上げ床部１０と背上げ床部１１とが順次回動可能に連結されている。固定床部９の他側には第１の脚上げ床部１２と第２の脚上げ床部１３とが順次回動可能に連結されている。
【００１９】
上記上下フレーム４の下面側には図示しない背上げ駆動機構が設けられている。この背上げ駆動機構は、腰上げ床部１０、背上げ床部１１、第１の脚上げ床部１２及び第２の脚上げ床部１３を図１に鎖線で示すように起上させることができるようになっている。
【００２０】
上記床板体８の上面には、この床板体８とほぼ同じ大きさの矩形状に形成された上記マットレスＭが載置される。このマットレスＭは矩形板状のクッション体１５と、このクッション体を被覆した布地を袋状に縫製した外装体１６とからなる。
【００２１】
上記クッション体１５は、図２と図３とに示すように中層１７と、この中層１７の上面に接着固定された上層１８及び下面に接着固定された下層１９の３層構造となっている。上記中層１７は厚さが２０ｍｍで、硬さが１３ｋｐａ±２０％のウレタンフォームが用いられる。上記上層１８と下層１９とは、厚さが２０ｍｍで、硬さが５ｋｐａ±２０％のウレタンフォームが用いられている。
【００２２】
すなわち、マットレスＭは厚さが通常のマットレスの半分程度の６０ｍｍで、その中層１７は上層１８及び下層１９よりも硬質であり、上層１８と下層１９は利用者に柔らかな感触を与える４５％以上の反発弾性を備えている。
【００２３】
上記上層１８と下層１９には長手方向中途部に幅方向に沿う複数の溝２１が長手方向に沿って所定間隔で、しかも長手方向に対して約２分の１ピッチ位置をずらして形成されている。なお、上記溝２１は、上層１８と下層１９との厚さ寸法よりもわずかに浅く形成されている。
【００２４】
このような構成のマットレスＭによると、上面に利用者が仰臥したとき、利用者は比較的柔らかな上層１８によって良好な感触を得ることができる。利用者の荷重は上層１８から中層１７に伝わる。中層１７は上層１８よりも硬質なウレタンフォームで作られているから、上層１８からの荷重によって局部的に変形することなく、その上層１８からの荷重を広く分散して下層１９に伝達する。
【００２５】
その結果、マットレスＭの、たとえば利用者の身体の臀部などの重い部分に対応する部分が局部的に大きく圧縮変形するのが抑制されるから、利用者に底付き感を与えるのを防止できる。
【００２６】
図４（ａ），（ｂ）はこの発明のマットレスＭと、比較的軟質の１枚のウレタンフォームによって作られたマットレスｍとに荷重を加えたときの変形状態を示した模式図である。図４（ａ）に示すように、この発明のマットレスＭによれば、上層１８が弾性変形量が大きくなるが、荷重が中層１７によって分散されることで、下層１９が局部的に大きく弾性変形することがない。
【００２７】
これに対して図４（ｂ）に示す１枚の軟質ウレタンフォームで作られたマットレスｍは、大きな荷重が加わる部分は、その荷重に応じてマットレスｍが局部的に圧縮変形するため、利用者に底付き感を与えることになる。
【００２８】
図５は、この発明の３層構造のマットレスＭをＪＩＳ規格に基づく垂直荷重試験を行なった結果を示す荷重特性線図である。この試験は、加圧板によりマットレスＭに８０ｋｇの荷重を加えたときのたわみ量δ８０と、その状態から果汁をさらに２０ｋｇ増加して１００ｋｇの荷重を加えた時のたわみ量δ００とを測定し、撓み量の差Ｄ（δ００−δ８０）を求めたもので、その差Ｄが５ｍｍ以上であれば、通常の使用状態において利用者に底付き感を与えることのないクッション性を有すると判定することができる試験である。
【００２９】
中層１７は硬さが１２．７５ｋｐａ、厚さが２０ｍｍのウレタンフォームを用い、及び上層１８及び下層１９には硬さが５．６２ｋｐａ、厚さがそれぞれ２０ｍｍのウレタンフォームを用いた。その結果、８０ｋｇの荷重を加えたときの撓み量δ８０と、１００ｋｇの荷重を加えたときの撓み量δ００との差は７ｍｍであった。したがって、この発明のマットレスＭは、利用者に底付き感を与えることのないクッション性を備えているということが確認できた。
【００３０】
なお、中層１７の硬さは１３ｋｐａ±２０％の範囲であればよく、また上層１８及び下層１９の硬さは５ｋｐａ±２０％の範囲であれば、撓み量δ８０とδ００との差が５ｍｍ以上になることが実験によって確認された。
【００３１】
一方、上記マットレスＭの上層１８と下層１９とには幅方向に沿う溝２１が長手方向に対して所定間隔で形成されている。そのため、マットレスＭを起上式のベッド装置１に用いた場合、床板体８の固定床部９を除く各床部１０，１１，１２，１３を起上させたときに、上記マットレスＭは溝２１が形成されていない場合に比べて湾曲し易くなる。しかも、上層１８と下層１９とに形成された溝２１が長手方向に対してずれているため、上層１８と下層１９とが同じ箇所で強く屈曲するということがない。そのため、マットレスＭは床板体８の起上に応じて滑らかに湾曲することになる。
【００３２】
上記中層１７が上層１８及び下層１９よりも硬質であるため、各床部１０，１１，１２，１３を起上させたときに、マットレスＭが局部的に小さな曲率半径で屈曲するのが防止される。そのため、上層１８や下層１９に折れぐせが付き難いから、背上げ式のベッド装置１に用いても、早期に損傷するのを防止できる。
【００３３】
【発明の効果】
以上のようにこの発明によれば、マットレスを中層、上層及び下層の３層構造とするとともに、中層を上層及び下層よりも硬質な弾性部材によって形成した。
【００３４】
そのため、上層が受ける荷重は中層によって分散されて下層で受けられるため、全体の厚さを薄くしても、利用者に底付き感を与えることのない良好なクッション性を呈することができる。
【図面の簡単な説明】
【図１】この発明の一実施の形態に係る背上げ式のベッド装置を示す側面図。
【図２】（ａ）はマットレスを折り曲げた状態の斜視図、（ｂ）はマットレスが平坦な状態の斜視図。
【図３】マットレスの溝が形成された部分を拡大した側面図。
【図４】（ａ）はこの発明のマットレスの荷重に対する変形を説明するための図、（ｂ）は従来のマットレスの荷重に対する変形を説明するための図。
【図５】この発明のマットレスの荷重と撓み量との関係を測定した荷重特性線図。
【符号の説明】
１…ベッド装置
１７…中層
１８…上層
１９…下層
２１…溝
【図１】
2004041513.tif 000003
【図２】
2004041513.tif 000004
【図３】
2004041513.tif 000005
【図４】
2004041513.tif 000006
【図５】
2004041513.tif 000007